(57)【要約】【課題】対向一対の脚杆体の上部を支持機構としての支持部材の一対の支持筒体に挿通して、対向一対の脚杆体を長手方向に間隔を置いて複数対並列配置すると共に連結杆を各支持部材の各挿通筒体に挿通して連結杆を長手方向に架設し、対向一対の脚杆体の中程部間に横杆体を支持具により架設し、耐降雪荷重等の雪囲い性を高めることができる。【解決手段】覆体２の支柱となる対向一対の脚杆体１を支持機構３により長手方向に間隔を置いて複数対並列配置してなり、支持機構は、対向一対の脚杆体の上部に挿通可能な一対の支持筒体４及び連結杆４ａを長手方向に挿通可能な挿通筒体６からなる複数個の支持部材７と、対向一対の脚杆体の中程部間に架設される横杆体８と、横杆体の端部と脚杆体との間に設けられ、横杆体の端部と脚杆体の外周面とが対向する状態で横杆体を脚杆体に支持可能な支持具９とからなる。【選択図】図１
0003128023.tif 000002
【実用新案登録請求の範囲】
【請求項１】
花木等を雪から保護するための覆体の支柱となる対向一対の脚杆体を支持機構により長手方向に間隔を置いて複数対並列配置してなり、上記支持機構は、上記対向一対の脚杆体の上部に挿通可能な一対の支持筒体及び連結杆を長手方向に挿通可能な挿通筒体からなる複数個の支持部材と、該対向一対の脚杆体の中程部間に架設される横杆体と、該横杆体の端部と該脚杆体との間に設けられ、該横杆体の端部と該脚杆体の外周面とが対向する状態で該横杆体を該脚杆体に支持可能な支持具とからなることを特徴とする雪囲い。
【請求項２】
上記支持具は上記横杆体に取付可能な取付部及び上記脚杆体の外周面を支持可能な支持部からなることを特徴とする請求項１記載の雪囲い。
【考案の詳細な説明】
【技術分野】
【０００１】
本考案は例えば庭木、草花、農作物等を雪から保護する際に用いられる雪囲いに関するものである。
【背景技術】
【０００２】
従来、この種の雪囲いとして、花木等を雪から保護するための覆体の支柱となる対向一対の脚杆体を支持機構により長手方向に間隔を置いて複数対並列配置してなる構造のものが知られている。
【特許文献１】実用新案登録第３１１７１１２号公報
【考案の開示】
【考案が解決しようとする課題】
【０００３】
しかしながら、これら従来構造の場合、対向一対の脚杆体は支持機構としての一対の支持筒体のみにより支持される構造であるから、降雪量の増大に伴う降雪耐荷重や風雨に対する構築強度が低いことがあるという不都合を有している。
【課題を解決するための手段】
【０００４】
本考案はこれらの不都合を解決することを目的とするもので、本考案のうちで、請求項１記載の考案にあっては、花木等を雪から保護するための覆体の支柱となる対向一対の脚杆体を支持機構により長手方向に間隔を置いて複数対並列配置してなり、上記支持機構は、上記対向一対の脚杆体の上部に挿通可能な一対の支持筒体及び連結杆を長手方向に挿通可能な挿通筒体からなる複数個の支持部材と、該対向一対の脚杆体の中程部間に架設される横杆体と、該横杆体の端部と該脚杆体との間に設けられ、該横杆体の端部と該脚杆体の外周面とが対向する状態で該横杆体を該脚杆体に支持可能な支持具とからなることを特徴とする雪囲いにある。
【０００５】
又、請求項２記載の考案にあっては、上記支持具は上記横杆体に取付可能な取付部及び上記脚杆体の外周面を支持可能な支持部からなることを特徴とするものである。
【考案の効果】
【０００６】
本考案は上述の如く、請求項１記載の考案にあっては、雪から保護すべき花木等に近接して、対向一対の脚杆体の上部を支持機構としての支持部材の一対の支持筒体に挿通して、対向一対の脚杆体を長手方向に間隔を置いて複数対並列配置すると共に連結杆を各支持部材の各挿通筒体に挿通して連結杆を長手方向に架設し、対向一対の脚杆体の中程部間に横杆体を支持具により架設し、これら複数個の脚杆体を支柱として雪から保護するための覆体を配設することになり、このため、降雪により脚杆体に外力が掛かっても、横杆体の存在により花木等を雪から保護するための覆体の支柱となる各脚杆体を確実に保持することができ、かつ、横杆体は一対の脚杆体の間に横杆体の端部と脚杆体の外周面とが対向する状態で支持されているので、脚杆体からなる構築体の構築強度を高めることができ、耐降雪荷重等の雪囲い性を高めることができる。
【０００７】
又、請求項２記載の考案にあっては、上記支持具は上記横杆体に取付可能な取付部及び上記脚杆体の外周面を支持可能な支持部からなるので、横杆体の端部を脚杆体に容易に支持することができる。
【考案を実施するための最良の形態】
【０００８】
図１乃至図６は本考案の実施の形態例を示し、１・１は一対の脚杆体であって、この場合、木材柱からなり、花木等Ｆを雪から保護するための覆体２の支柱となり、この対向一対の脚杆体１・１は支持機構３により長手方向に間隔を置いて地上Ｇに複数対並列配置されている。尚、脚杆体１は鋼管等の他の材質のものを用いることができる。
【０００９】
この場合、上記支持機構３は、上記対向一対の脚杆体１・１の上部に挿通可能な一対の支持筒体４・４及び連結杆５を長手方向に挿通可能な挿通筒体６からなる複数個の支持部材７と、対向一対の脚杆体１・１の中程部間に架設される横杆体８と、横杆体８の端部と脚杆体１との間に設けられ、横杆体８の端部８ａと脚杆体１の外周面１ａとが対向する状態で横杆体８を脚杆体１に支持可能な支持具９とからなる。尚、横杆体８は、鋼管、木材柱等の他の材質のものを用いることができる。
【００１０】
この場合、上記支持部材７は、上記一対の支持筒体４・４に連結片４ａ・４ａを突設し、この対向一対の連結片４ａ・４ａを枢軸Ｍにより枢着し、枢軸Ｍを中心として挿通筒体６を傾斜角度調節自在に設け、一方、上記挿通筒体６に連結片６ａを垂設し、連結片６ａを上記枢軸Ｍに連結固定している。
【００１１】
この場合、上記支持具９は金属製にして、横杆体８にネジや釘などの止め材Ｋが挿通可能な長穴Ｎをもつ取付部９ａ及び脚杆体１の外周面を支持可能な支持部９ｂからなり、横杆体８に取付部９ａを長穴Ｎ及び止め材Ｋにより突出位置調節自在に取付け、引掛部９ｂを止め材Ｋにより取付け、引掛部９ｂに脚杆体１を引掛支持するように構成している。
【００１２】
この場合、上記覆体２として、上記長手方向に間隔を置いて地上Ｇに複数対並列配置されている対向一対の脚杆体１・１の外面に横板２ａを上下多段状に引掛具Ｈや釘等により取付け、この横板２ａに縦板２ｂを並列状に釘等により取付けて構成している。尚、覆体２は、脚杆体１を支柱として、板材、棒材、ネット体等の部材により種々構築されるものである。
【００１３】
この実施の形態例は上記構成であるから、雪から保護すべき花木等Ｆに近接して、対向一対の脚杆体１・１の上部を支持機構２としての支持部材７の一対の支持筒体４・４に挿通して、対向一対の脚杆体１・１を長手方向に間隔を置いて複数対並列配置すると共に連結杆５を各支持部材７の各挿通筒体６に挿通して連結杆５を長手方向に架設し、対向一対の脚杆体１・１の中程部間に横杆体８を支持具９により架設し、これら複数個の脚杆体１を支柱として雪から保護するための覆体２を配設することになり、このため、降雪により脚杆体１に外力が掛かっても、横杆体８の存在により花木等Ｗを雪から保護するための覆体２の支柱となる各脚杆体１を確実に保持することができ、かつ、横杆体８は一対の脚杆体１・１の間に横杆体８の端部８ａと脚杆体１の外周面１ａとが対向する状態で支持されているので、脚杆体１からなる構築体の構築強度を高めることができ、耐降雪荷重等の雪囲い性を高めることができる。
【００１４】
この場合、上記支持具９は上記横杆体８に取付可能な取付部９ａ及び上記脚杆体１の外周面を支持可能な支持部９ｂからなるので、横杆体８の端部を脚杆体１に容易に支持することができる。
【００１５】
尚、本考案は上記実施の形態例に限られるものではなく、例えば、脚杆体１の数や材質、覆体２、支持筒体４、挿通筒体６、支持部材７、横杆体８、支持具９の構造等は適宜変更して設計され、又、覆体２の構築部材として、板材、ネット網状体、その他の部材が用いられるものである。
【００１６】
以上、所期の目的を充分達成することができる。
【図面の簡単な説明】
【００１７】
【図１】本考案の実施の形態例の全体斜視図である。
【図２】本考案の実施の形態例の覆体を除いた斜視図である。
【図３】本考案の実施の形態例の部分斜視図である。
【図４】本考案の実施の形態例の部分側面図である。
【図５】本考案の実施の形態例の部分側面図である。
【図６】本考案の実施の形態例の部分平断面図である。
【符号の説明】
【００１８】
１    脚杆体
１ａ    外周面
２    覆体
３    支持機構
４    支持筒体
５    連結杆
６    挿通筒体
７    支持部材
８    横杆体
８ａ    端部
９    支持具
【図１】
0003128023.tif 000003
【図２】
0003128023.tif 000004
【図３】
0003128023.tif 000005
【図４】
0003128023.tif 000006
【図５】
0003128023.tif 000007
【図６】
0003128023.tif 000008